(57)【特許請求の範囲】
【請求項１】
建造物の開口部に配置される閉鎖部材であって、
入射した光を偏向する複数の第１の光偏向部と、
入射した光を透過する複数の第１の光透過部とを備え、
前記第１の光偏向部及び前記第１の光透過部は、鉛直方向に対して−８０°〜＋８０°の範囲で傾斜した方向となる第１の方向に延びる帯状形状に形成されており、第１の方向に交差する第２の方向へ交互に配列されており、
前記第１の光偏向部は、
光の入射側の面に複数の溝を有し、光透過性を有するベース部と、
前記溝内に形成され、光透過性を有する複数のルーバ部と、
を有し、
前記ルーバ部は、
前記第２の方向に延在し、前記第１の方向に交互に配置され、
前記第１の方向及び前記ベース部の厚み方向に平行な断面において、光の入射側の幅が光の出射側の幅よりも大きい楔型形状であり、
前記ルーバ部の屈折率は、前記ベース部の屈折率よりも小さいこと、
を特徴とする閉鎖部材。
【請求項２】
請求項１に記載の閉鎖部材において、
前記第１の光偏向部及び前記第１の光透過部の第２の方向における幅は、５０ｍｍ以上３００ｍｍ以下であること、
を特徴とする閉鎖部材。
【請求項３】
請求項１又は請求項２に記載の閉鎖部材において、
前記第１の光偏向部及び前記第１の光透過部の帯状形状は、少なくとも一部が第２の方向に湾曲していること、
を特徴とする閉鎖部材。
【請求項４】
請求項１から請求項３までのいずれか１項に記載の閉鎖部材において、
少なくとも一つの前記第１の光偏向部の帯状形状に延びる方向は、他の前記第１の光偏向部の帯状形状に延びる方向に対して傾斜していること、
を特徴とする閉鎖部材。
【請求項５】
請求項１から請求項４までのいずれか１項に記載の閉鎖部材において、
少なくとも一つの前記第１の光透過部の帯状形状に延びる方向は、他の前記第１の光透過部の帯状形状に延びる方向に対して傾斜していること、
を特徴とする閉鎖部材。
【請求項６】
請求項１から請求項５までのいずれか１項に記載の閉鎖部材において、
前記第１の光偏向部の少なくとも一部は、第２の方向における幅が他の前記第１の光偏向部と相違していること、
を特徴とする閉鎖部材。
【請求項７】
請求項１から請求項６までのいずれか１項に記載の閉鎖部材において、
前記第１の光透過部の少なくとも一部は、第２の方向における幅が他の前記第１の光透過部と相違していること、
を特徴とする閉鎖部材。
【請求項８】
請求項１から請求項７までのいずれか１項に記載の閉鎖部材において、
前記第１の方向に延びる帯状形状に形成される第２の光偏向部及び第２の光透過部を更に備え、
前記帯状形状に形成される前記第２の光偏向部及び前記第２の光透過部と、前記第１の光偏向部又は前記第１の光透過部とが混在していること、
を特徴とする閉鎖部材。
【請求項９】
建造物の開口部に配置される閉鎖部材であって、
入射した光を偏向する第１の光偏向部と、
入射した光を透過する第１の光透過部とを備え、
前記第１の光偏向部又は前記第１の光透過部は、複数の特定形状に形成され、その特定形状が、鉛直方向に対して−８０°〜＋８０°の範囲で傾斜した方向となる第１の方向に延びる帯状に配列されており、
前記特定形状が帯状に配列された前記第１の光偏向部又は前記第１の光透過部は、前記第１の光透過部又は前記第１の光偏向部を挟んで前記第１の方向に交差する第２の方向に交互に配列されており、
前記第１の光偏向部は、
光の入射側の面に複数の溝を有し、光透過性を有するベース部と、
前記溝内に形成され、光透過性を有する複数のルーバ部と、
を有し、
前記ルーバ部は、
前記第２の方向に延在し、前記第１の方向に交互に配置され、
前記第１の方向及び前記ベース部の厚み方向に平行な断面において、光の入射側の幅が光の出射側の幅よりも大きい楔型形状であり、
前記ルーバ部の屈折率は、前記ベース部の屈折率よりも小さいこと、
を特徴とする閉鎖部材。
【請求項１０】
請求項９に記載の閉鎖部材において、
第２の方向に隣り合う前記特定形状の距離ｄ１は、第１の方向に隣り合う前記特定形状の距離ｄ２よりも大きく、５０ｍｍ以上３００ｍｍ以下であり、
前記特定形状の第２の方向における幅は、５０ｍｍ以上３００ｍｍ以下であること、
を特徴とする閉鎖部材。
【請求項１１】
請求項９又は請求項１０に記載の閉鎖部材において、
前記特定形状が帯状に配列された前記第１の光偏向部又は前記第１の光透過部の配列は、少なくとも一部が第２の方向に湾曲していること、
を特徴とする閉鎖部材。
【請求項１２】
請求項９から請求項１１までのいずれか１項に記載の閉鎖部材において、
帯状に配列された前記特定形状には、複数種類の大きさの異なる前記特定形状が含まれていること、
を特徴とする閉鎖部材。
【請求項１３】
請求項９から請求項１２までのいずれか１項に記載の閉鎖部材において、
帯状に配列された前記特定形状には、複数種類の形状の異なる前記特定形状が含まれていること、
を特徴とする閉鎖部材。
【請求項１４】
請求項９から請求項１３までのいずれか１項に記載の閉鎖部材において、
配列された前記特定形状の帯状に延びる方向は、他の配列された前記特定形状の帯状に延びる方向に対して傾斜していること、
を特徴とする閉鎖部材。
【請求項１５】
請求項９から請求項１４までのいずれか１項に記載の閉鎖部材において、
前記第１の方向に延びる帯状形状に形成される第２の光偏向部及び第２の光透過部を更に備え、
前記帯状形状に形成される前記第２の光偏向部及び前記第２の光透過部と、前記特定形状が帯状に配列された前記第１の光偏向部又は前記第１の光透過部とが混在していること、
を特徴とする閉鎖部材。
【請求項１６】
請求項１から請求項１５までのいずれか１項に記載の閉鎖部材において、
前記第１の光偏向部は、少なくとも一部に入射した光を着色する着色部を備えること、
を特徴とする閉鎖部材。
【請求項１７】
請求項１６に記載の閉鎖部材において、
前記第１の光偏向部に設けられた前記着色部の少なくとも一部は、他の前記第１の光偏向部に設けられた前記着色部と相違する色に光を着色すること、
を特徴とする閉鎖部材。
【請求項１８】
入射した光を偏向する複数の第１の光偏向部と、
入射した光を透過する複数の第１の光透過部とを備え、
前記第１の光偏向部及び前記第１の光透過部は、鉛直方向に対して−８０°〜＋８０°の範囲で傾斜した方向となる第１の方向に延びる帯状形状に形成されており、第１の方向に交差する第２の方向へ交互に配列されており、
前記第１の光偏向部は、
光の入射側の面に複数の溝を有し、光透過性を有するベース部と、
前記溝内に形成され、光透過性を有する複数のルーバ部と、
を有し、
前記ルーバ部は、
前記第２の方向に延在し、前記第１の方向に交互に配置され、
前記第１の方向及び前記ベース部の厚み方向に平行な断面において、光の入射側の幅が光の出射側の幅よりも大きい楔型形状であり、
前記ルーバ部の屈折率は、前記ベース部の屈折率よりも小さいこと、
を特徴とする採光部材。
【請求項１９】
入射した光を偏向する第１の光偏向部と、
入射した光を透過する第１の光透過部とを備え、
前記第１の光偏向部又は前記第１の光透過部は、複数の特定形状に形成され、その特定形状が、鉛直方向に対して−８０°〜＋８０°の範囲で傾斜した方向となる第１の方向に延びる帯状に配列されており、
前記特定形状が帯状に配列された前記第１の光偏向部又は前記第１の光透過部は、前記第１の光透過部又は前記第１の光偏向部を挟んで前記第１の方向に交差する第２の方向に交互に配列されており、
前記第１の光偏向部は、
光の入射側の面に複数の溝を有し、光透過性を有するベース部と、
前記溝内に形成され、光透過性を有する複数のルーバ部と、
を有し、
前記ルーバ部は、
前記第２の方向に延在し、前記第１の方向に交互に配置され、
前記第１の方向及び前記ベース部の厚み方向に平行な断面において、光の入射側の幅が光の出射側の幅よりも大きい楔型形状であり、
前記ルーバ部の屈折率は、前記ベース部の屈折率よりも小さいこと、
を特徴とする採光部材。
【発明の詳細な説明】
【技術分野】
【０００１】
本発明は、建造物の内部に太陽光等の光を採り入れる閉鎖部材、採光部材に関するものである。
【背景技術】
【０００２】
従来、建造物の開口部を通して入射する太陽光等の光を所望の方向に出射させるようにして建造物の内部に光を採光する技術が知られている（例えば、特許文献１）。
特許文献１の採光シートは、光を偏向する光偏向層を有しており、太陽光等の斜め上方から入射する光を特定の方向に偏向して建造物の内部へ入射させているので、照明装置等を使わずに自然光を利用して室内を明るくすることができ、省エネルギー効果（照明費用削減）や、快適な室内空間の形成を可能にしている。
しかし、このような採光部材は、単に太陽光等の光を室内側に取り込んでいるため、意匠性に乏しく、例えば、幼稚園の教室や、病院の病室に用いた場合、採光した室内空間を十分に心地のよいものにすることができない場合があった。
【先行技術文献】
【特許文献】
【０００３】
【特許文献１】特開２０１４−１２６７１３号公報
【発明の概要】
【発明が解決しようとする課題】
【０００４】
本発明の課題は、太陽光等の光を十分に取り込むとともに、意匠性に富んだ楽しさ感のある採光機能を発揮することができる閉鎖部材、採光部材を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
第１の発明は、建造物（１）の開口部（２）に配置される閉鎖部材（１０）であって、入射した光を偏向する複数の第１の光偏向部（３０）と、入射した光を透過する複数の第１の光透過部（２１）とを備え、前記第１の光偏向部及び前記第１の光透過部は、鉛直方向に対して−８０°〜＋８０°の範囲で傾斜した方向となる第１の方向に延びる帯状形状に形成されており、第１の方向に交差する第２の方向へ交互に配列されていること、を特徴とする閉鎖部材である。
第２の発明は、第１の発明の閉鎖部材（１０）において、前記第１の光偏向部（３０）及び前記第１の光透過部（２１）の第２の方向における幅（Ｓ１、Ｓ２）は、５０ｍｍ以上３００ｍｍ以下であること、を特徴とする閉鎖部材である。
第３の発明は、第１の発明又は第２の発明に記載の閉鎖部材（１０）において、前記第１の光偏向部（３０）及び前記第１の光透過部（２１）の帯状形状は、少なくとも一部が第２の方向に湾曲していること、を特徴とする閉鎖部材である。
第４の発明は、第１の発明から第３の発明までのいずれかの発明の閉鎖部材（１０）において、少なくとも一つの前記第１の光偏向部（３０）の帯状形状に延びる方向は、他の前記第１の光偏向部の帯状形状に延びる方向に対して傾斜していること、を特徴とする閉鎖部材である。
第５の発明は、第１の発明から第４の発明までのいずれかの発明の閉鎖部材（１０）において、少なくとも一つの前記第１の光透過部（２１）の帯状形状に延びる方向は、他の前記第１の光透過部の帯状形状に延びる方向に対して傾斜していること、を特徴とする閉鎖部材である。
第６の発明は、第１の発明から第５の発明までのいずれかの発明の閉鎖部材（１０）において、前記第１の光偏向部（３０）の少なくとも一部は、第２の方向における幅が他の前記第１の光偏向部と相違していること、を特徴とする閉鎖部材である。
第７の発明は、第１の発明から第６の発明までのいずれかの発明の閉鎖部材（１０）において、前記第１の光透過部（２１）の少なくとも一部は、第２の方向における幅が他の前記第１の光透過部と相違していること、を特徴とする閉鎖部材である。
第８の発明は、第１の発明から第７の発明までのいずれか１項に記載の閉鎖部材（１０）において、前記第１の方向に延びる帯状形状に形成される第２の光偏向部（３０）及び第２の光透過部（２１）を更に備え、前記帯状形状に形成される前記第２の光偏向部及び前記第２の光透過部と、前記第１の光偏向部（３０）及び前記第１の光透過部（２１）とが混在していること、を特徴とする閉鎖部材である。
第９の発明は、建造物（１）の開口部（２）に配置される閉鎖部材（１１０）であって、入射した光を偏向する第１の光偏向部（１３０）と、入射した光を透過する第１の光透過部（１２１）とを備え、前記第１の光偏向部又は前記第１の光透過部は、複数の特定形状に形成され、その特定形状が、鉛直方向に対して−８０°〜＋８０°の範囲で傾斜した方向となる第１の方向に延びる帯状に配列されており、前記特定形状が帯状に配列された前記第１の光偏向部又は前記第１の光透過部は、前記第１の光透過部又は前記第１の光偏向部を挟んで前記第１の方向に交差する第２の方向に交互に配列されていること、を特徴とする閉鎖部材である。
第１０の発明は、第９の発明の閉鎖部材（１１０）において、第２の方向に隣り合う前記特定形状の距離ｄ１は、第１の方向に隣り合う前記特定形状の距離ｄ２よりも大きく、５０ｍｍ以上３００ｍｍ以下であり、前記特定形状の第２の方向における幅は、５０ｍｍ以上３００ｍｍ以下であること、を特徴とする閉鎖部材である。
第１１の発明は、第９の発明又は第１０の発明の閉鎖部材（１１０）において、前記特定形状が帯状に配列された前記第１の光偏向部（１３０）又は前記第１の光透過部（１２１）の配列は、少なくとも一部が第２の方向に湾曲していること、を特徴とする閉鎖部材である。
第１２の発明は、第９の発明から第１１の発明までのいずれかの発明の閉鎖部材（１１０）において、帯状に配列された前記特定形状には、複数種類の大きさの前記特定形状が含まれていること、を特徴とする閉鎖部材である。
第１３の発明は、第９の発明から第１２の発明までのいずれかの発明の閉鎖部材（１１０）において、帯状に配列された前記特定形状には、複数種類の形状の異なる前記特定形状が含まれていること、を特徴とする閉鎖部材である。
第１４の発明は、第９の発明から第１３の発明までのいずれかの発明の閉鎖部材（１１０）において、配列された前記特定形状の帯状に延びる方向は、他の配列された前記特定形状の帯状に延びる方向に対して傾斜していること、を特徴とする閉鎖部材である。
第１５の発明は、第９の発明から第１４の発明までのいずれか１項に記載の閉鎖部材（１１０）において、前記第１の方向に延びる帯状形状に形成される第２の光偏向部及び第２の光透過部を更に備え、前記帯状形状に形成される前記第２の光偏向部及び前記第２の光透過部と、前記特定形状が帯状に配列された前記第１の光偏向部又は前記第１の光透過部とが混在していること、を特徴とする閉鎖部材である。
第１６の発明は、第１の発明から第１５の発明までのいずれかの発明の閉鎖部材（１０）において、前記第１の光偏向部（３０）は、少なくとも一部に入射した光を着色する着色部を備えること、を特徴とする閉鎖部材である。
第１７の発明は、第１６の発明の閉鎖部材（１０）において、前記第１の光偏向部に設けられた前記着色部の少なくとも一部は、他の前記第１の光偏向部に設けられた前記着色部と相違する色に光を着色すること、を特徴とする閉鎖部材である。
第１８の発明は、入射した光を偏向する複数の第１の光偏向部（３０）と、入射した光を透過する複数の第１の光透過部（２１）とを備え、前記第１の光偏向部及び前記第１の光透過部は、鉛直方向に対して−８０°〜＋８０°の範囲で傾斜した方向となる第１の方向に延びる帯状形状に形成されており、第１の方向に交差する第２の方向へ交互に配列されていること、を特徴とする採光部材（２０）である。
第１９の発明は、入射した光を偏向する第１の光偏向部（１３０）と、入射した光を透過する第１の光透過部（１２１）とを備え、前記第１の光偏向部又は前記第１の光透過部は、複数の特定形状に形成され、その特定形状が、鉛直方向に対して−８０°〜＋８０°の範囲で傾斜した方向となる第１の方向に延びる帯状に配列されており、前記特定形状が帯状に配列された前記第１の光偏向部又は前記第１の光透過部は、前記第１の光透過部又は前記第１の光偏向部を挟んで前記第１の方向に交差する第２の方向に交互に配列されていること、を特徴とする採光部材（１２０）である。
【発明の効果】
【０００６】
本発明によれば、太陽光等の光を十分に取り込むとともに、意匠性に富んだ楽しさ感のある採光機能を発揮することができる。
【図面の簡単な説明】
【０００７】
【図１】第１実施形態の建造物及び閉鎖部材を説明する図である。
【図２】第１実施形態の閉鎖部材及び採光部材の詳細を説明する図である。
【図３】採光部材によって室内側に採り入れられた太陽光の様子を示す写真である。
【図４】光偏向部の別な形態を示す図である。
【図５】採光部材の別な形態を説明する図である。
【図６】採光部材を構成する光透過部及び光偏向部の別な形態を示す図である。
【図７】第２実施形態の採光部材の詳細を説明する図である。
【図８】第２実施形態の採光部材の別な形態を説明する図である。
【発明を実施するための形態】
【０００８】
以下、図面等を参照して、本発明の実施形態について説明する。なお、図１を含め、以下に示す各図は、模式的に示した図であり、各部の大きさ、形状は、理解を容易にするために、適宜誇張している。
本明細書中に記載する各部材の寸法等の数値及び材料名等は、実施形態としての一例であり、これに限定されるものではなく、適宜選択して使用してよい。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
【０００９】
（第１実施形態）
図１は、本実施形態の建造物及び閉鎖部材を説明する図である。図１（ａ）は、閉鎖部材を設置した建造物を示す図である。図１（ｂ）は、閉鎖部材の厚み方向から見た正面図である。
図２は、本実施形態の閉鎖部材及び採光部材の詳細を説明する図である。図２（ａ）は、図１（ａ）の閉鎖部材のａ部断面を示す図であり、図２（ｂ）は、図１（ａ）の閉鎖部材のｂ部断面を示す図であり、図２（ｃ）は、図１（ａ）の閉鎖部材のｃ部断面を示す図である。
なお、図１（ｂ）、図２を含め以下に示す図中及び以下の説明において、理解を容易にするために、閉鎖部材の通常の使用状態における鉛直方向をＺ方向とし、水平方向のうち閉鎖部材の厚み方向をＹ方向とし、その厚み方向に直交する左右方向をＸ方向とする。この厚み方向（Ｙ方向）のうち、−Ｙ側を建造物の外側（太陽光等の光が入射する側）とし、＋Ｙ側を建造物の内側（太陽光等の光が出射する側）とする。
【００１０】
図３は、採光部材によって室内側に採り入れられた太陽光の様子を示す写真である。図３（ａ）及び図３（ｂ）は、本実施形態の採光部材を窓に貼付した場合の写真であり、それぞれ午前１１：３０、午後２：００に撮影されたものである。図３（ｃ）及び図３（ｄ）は、比較例の採光部材を窓に貼付した場合の写真であり、それぞれ午前１１：３０、午後２：００に撮影されたものである。図３（ｅ）及び図３（ｆ）も、別な比較例の採光部材を窓に貼付した場合の写真であり、それぞれ午前１１：３０、午後２：００に撮影されたものである。
本実施形態では、採光部材は、太陽光等の光を建築物の内側（屋内側）に採り入れる例を示すが、光を乗り物の室内側に取り入れるようにしてもよい。
【００１１】
閉鎖部材１０は、図１（ａ）及び図１（ｂ）に示すように、建造物１の壁に設けられた開口部２に設置される採光用の窓であり、窓枠１１と、窓１２と、採光部材２０から構成されている。
窓枠１１は、窓１２を建造物の開口部に固定する枠部材であり、例えば、アルミニウム等の金属によって形成されている。
窓１２は、建造物１の開口部２を閉鎖する透明なガラス基板である。
採光部材２０は、太陽光等の光を建造物の内側（室内側）に採り入れるシート状の部材であり、図２（ａ）に示すように、窓１２の＋Ｙ側（建造物の内側）の面に貼付されている。採光部材２０は、図１（ｂ）に示すように、複数の光透過部２１及び光偏向部３０から構成されている。
【００１２】
光透過部２１は、図２（ｂ）及び図２（ｃ）に示すように、窓１２を介して採光部材２０に入射した光を室内側へそのまま透過させる部分であり、本実施形態では、隣り合う光偏向部３０間に設けられた空隙（空気層）である。
光偏向部３０は、図２（ａ）に示すように、窓１２を介して採光部材２０に入射した光を偏向して建造物の内側（室内側）へ採り入れる部分であり、窓１２の建造物の内側（−Ｙ側）の面に沿うようにして接合層２２を介して貼付されている。
【００１３】
この光透過部２１及び光偏向部３０は、図１（ｂ）に示すように、それぞれ第１の方向に延びる帯状形状に形成されており、第１の方向に交差する第２の方向へストライプ状に交互に配列されている。ここで、第１の方向とは、鉛直方向（Ｚ方向）に平行な方向だけでなく、鉛直方向に対して−８０°〜＋８０°の範囲で傾斜している方向も含むものをいい、ストライプ形状をより鮮明に映す観点から、鉛直方向に対して−６０°〜＋６０°の範囲であることが好ましく、鉛直方向に対して−４５°〜＋４５°の範囲であることがより好ましく、鉛直方向に対して−３０°〜＋３０°の範囲であることが更に好ましい。本実施形態では、第１の方向は、鉛直方向（Ｚ方向）に平行な方向であるとし、また、第１の方向に交差する第２の方向は、左右方向（Ｘ方向）に平行な方向であるとして説明する。
このように、窓１２の室内側（＋Ｙ側）の面上に、ストライプ状に光透過部２１及び光偏向部３０が配列された採光部材２０を設けることによって、採光部材２０は、開口部２から入射する太陽光等の光をストライプ状に採り入れることができる。これにより、図３（ａ）及び図３（ｂ）に示すように、採光された光が部屋の天井や、壁にストライプ状になって映り、採光部材２０は、意匠性に富んだ楽しさ感のある採光機能を発揮させることができ、室内環境を心地よいものとすることができる。
【００１４】
仮に、図３（ｃ）及び図３（ｄ）に示すように、光透過部及び光偏向部を、それぞれ第２の方向（Ｘ方向）に延びる帯状形状に形成し、第１の方向（Ｚ方向）へ交互に配列した場合、各光偏向部から採光された光が互いに混ざってしまい、部屋の天井等に映る光の模様が不鮮明になり、意匠性が低下してしまうので望ましくない。
また、図３（ｅ）及び図３（ｆ）に示すように、光偏向部を円形形状に形成し、それを窓の室内側の面にランダムに配置された場合も、各光偏向部から採光された光が互いに混ざってしまい、部屋の天井等に映る光の模様が不鮮明になり、意匠性が低下してしまうので望ましくない。
したがって、光透過部２１及び光偏向部３０は、第１の方向（鉛直方向、Ｚ方向）に延びる帯状形状に形成され、第２の方向（左右方向、Ｘ方向）へストライプ状に交互に配列されているのが望ましい。
【００１５】
ここで、採光部材２０は、上述の効果をより効果的に奏するために、光偏向部３０及び光透過部２１の第２の方向（左右方向）の幅Ｓ１、Ｓ２が、５０ｍｍ以上３００ｍｍ以下に形成されるのが望ましい。仮に、光透過部２１の幅Ｓ２が５０ｍｍ未満である場合、隣り合う光偏向部３０間の距離が近くなりすぎてしまい、各光偏向部３０により採り入れられた光が混ざり易くなり、室内の天井等に採り入れられた光の模様がストライプ状として認識され難くなるので望ましくない。また、光透過部２１の幅Ｓ２が３００ｍｍよりも大きい場合、隣り合う光偏向部３０間の距離が離れすぎてしまい、室内の天井等に採り入れられた光の模様がストライプ状として認識され難くなるので望ましくない。
また、仮に、光偏向部３０の幅Ｓ１が５０ｍｍ未満である場合、光偏向部３０の幅が狭くなりすぎてしまい、室内の天井等に採り入れられた光の模様がストライプ状として認識され難くなったり、光偏向部３０により採り入れられる光の量が低減したりしてまうので望ましくない。また、光偏向部３０の幅Ｓ１が３００ｍｍよりも大きい場合、光偏向部３０の幅が太くなりすぎてしまい、室内の天井等に採り入れられた光の模様がストライプ状として認識されにくくなるので望ましくない。
【００１６】
この光偏向部３０は、その厚み方向（Ｙ方向）において建造物の外側（−Ｙ側）に位置し、太陽光等の光が入射する入射面３０ａと、この入射面３０ａに対向し、建造物の内側（＋Ｙ側）に位置して、光が出射する出射面３０ｂとから構成されている。
光偏向部３０は、図２（ａ）に示すように、複数の溝３１ａを有するベース部３１と、その溝３１ａ内に形成されるルーバ部３２とから構成されており、鉛直上方側（＋Ｚ側）から主に入射する太陽光等の光Ｌを、ベース部３１とルーバ部３２との界面によって所定の方向に偏向させて、建造物の内側へ向けて出射させる。
なお、室内の天井等に採り入れられた光が拡散して、ストライプ状の模様が不鮮明になってしまうのを抑制する観点から、光偏向部３０の出射面３０ｂのヘイズ値は、５０％以下であることが望ましく、１０％以下であることがより望ましい。
【００１７】
ベース部３１は、光透過性を有する透明な材料により形成された光偏向部３０の基礎となる部材である。このベース部３１には、左右方向（Ｘ方向）に延び、光偏向部３０の入射面３０ａに沿って鉛直方向（Ｚ方向）に溝３１ａが複数配列されている。
ルーバ部３２は、ベース部３１に設けられた溝３１ａ内に、光透過性を有する材料により形成されている。このルーバ部３２は、左右方向（Ｘ方向）に延び、光偏向部３０の入射面３０ａに沿って鉛直方向（Ｚ方向）に複数配列される形態となる。
【００１８】
また、ルーバ部３２は、その配列方向（鉛直方向（Ｚ方向））に平行であって光偏向部３０の厚み方向（Ｙ方向）に平行な断面（ＹＺ断面）における断面形状が楔形形状に形成されている。ここで、楔形形状とは、一方の端部の幅が広く、他方に向けて次第に幅が狭くなる形状をいい、三角形形状や台形形状等を含むものをいう。ルーバ部３２は、入射面３０ａ側の幅が広く、出射面３０ｂ側に向けて次第に幅が狭くなるように形成されている。本実施形態のルーバ部３２は、その断面形状が、入射面３０ａ側を底辺とする略三角形形状に形成されている。
【００１９】
このようにルーバ部３２を形成することによって、鉛直上方側（＋Ｚ側）から採光部材２０に入射した太陽光等の光Ｌは、図２（ａ）に示すように、主にルーバ部３２の鉛直上方側（＋Ｚ側）の斜面に入射して、ベース部３１及びルーバ部３２の界面において反射して、偏向された上で出射面３０ｂから出射することとなる。
ルーバ部３２の屈折率は、ベース部３１及びルーバ部３２の界面において太陽光等の光を効率よく反射させる観点から、ベース部３１の屈折率よりも小さくなるように形成されることが望ましい。そのため、ルーバ部３２は、ベース部３１よりも屈折率の低い材料により形成されていることが望ましい。また、ルーバ部３２は、空気層、すなわち溝３１ａ内を空にしてもよい。
【００２０】
また、ルーバ部３２及びベース部３１の界面には、反射率を向上させるために、例えばアルミニウムやアルミニウム酸化物等の金属含有化合物などの反射率が高い材料により反射面が形成されていてもよい。さらに、反射面が形成されている場合は、ルーバ部３２の材料とベース部３１の材料とは同じものを使用してもよい。それによって、ルーバ部３２の屈折率とベース部３１の屈折率をほぼ同じにして、ルーバ部３２及びベース部３１の界面での屈折を抑制できるので、採光部材を通した視認性を良好にすることができる。
【００２１】
なお、光偏向部３０には、入射面３０ａ及び出射面３０ｂのいずれかの面に、室内側に採り入れられる光を着色する着色部を設けるようにしてもよい。また、入射面３０ａ又は出射面３０ｂに着色部を設ける代わりに、ベース部３１の一部又は全部に着色部を設けるようにしてもよい。これにより、室内側に採り入れられる光を室内空間に合わせて着色することができ、意匠性を更に向上することができる。
この着色部は、例えば、所望の色の顔料や染料を含有した樹脂から構成されるシート状の形態にすることができ、光偏向部３０の入射面３０ａや出射面３０ｂ上に貼付されるようにすることができる。また、着色部は、ベース部３１を構成する樹脂に所望の色の顔料や染料を含有させることによって、光偏向部３０のベース部３１の一部又は全部に設けられるようにすることができる。
なお、光偏向部に設けられた着色部の少なくとも一部は、他の光偏向部に設けられた着色部と相違する色に光を着色するようにしてもよい。このようにすることで、採光部材２０によって複数の色の光が採り入れられることとなり、意匠性を更に向上させることができる。
【００２２】
図４は、光偏向部の別な形態を示す図であり、光偏向部のＹＺ断面における断面形状である。
光偏向部３０は、ベース部３１及びルーバ部３２を備える例で説明したが、これに限定されるものでなく、異なる構成によって入射した光を偏向するようにしてもよい。
例えば、光偏向部３０は、図４（ａ）に示すように、上述のベース部及びルーバ部が同一の材料で形成され、反射層３４を挟み込んで結合した形態、すなわち、ベースとなる部材３３中に左右方向（Ｘ方向）に延び、光偏向部３０の入射面３０ａに沿って、入射面３０ａの法線方向に対して所定の角度に傾斜した平板状の反射層３４が、鉛直方向（Ｚ方向）に複数配列される形態としてもよい。この場合、反射層３４は、アルミニウムやアルミニウム酸化物等の金属含有化合物などの反射率が高い材料により形成される。
また、光偏向部３０は、図４（ｂ）に示すように、入射面３０ａに沿ってプリズム体３０ｃが鉛直方向（Ｚ方向）に複数配列された形態としてもよい。また、プリズム体を形成する代わりに、フレネルレンズ形状を形成する形態としてもよい。
【００２３】
接合層２２は、光偏向部３０を窓１２に対して着脱可能に接合する層であり、光偏向部３０の−Ｙ側の面（入射面３０ａ）に設けられている。このように窓１２に対して光偏向部３０を着脱可能に接合することによって、必要に応じて窓１２から光偏向部３０を貼付したり、剥がしたりすることができ、室内環境を容易に調節することができる。
この接合層２２は、例えば、剥離再貼付可能な粘着剤や、静電気吸着剤等によって構成される。粘着剤としては、被着体に貼付後であっても被着体から剥離でき、かつ剥離後に再び被着体に貼付できるものがよく、例えば、シリコーンポリマー系、ウレタンポリマー系、アクリルポリマー系、ゴム系等の粘着剤を使用することができる。また、静電気吸着剤としては、内部に保持された静電電荷によって被着体に吸着できるものがよく、例えば、ポリオレフィン、ポリアミド、ポリエステル、ポリカーボネート、ポリスチレン等のプラスチックは、絶縁性が高いので静電電荷を内部に保持しやすいため、好適に使用することができる。粘着剤や、静電気吸着剤には、上述の材料の他、公知の材料を適宜使用することも可能である。
【００２４】
接合層２２は、光偏向部３０及び窓１２間において光が屈折してしまうのを回避する観点から、光偏向部３０及び窓１２間に空気層が介在しないように光偏向部３０及び窓１２を接合するのが望ましい。そのため、接合層２２は、例えば、透光性を有した上記粘着剤等を、光偏向部３０の入射面３０ａ（−Ｙ側の面）の全面に設けられ、空気層が介在しないように光偏向部３０を窓１２に対して接合する。
【００２５】
また、接合層２２は、磁石によって構成されるようにしてもよい。この場合、接合層２２は、例えば、光偏向部３０の上端縁及び下端縁に設けられ、窓枠１１に磁性部材を使用する若しくは窓枠１１の一部に磁性部材を配置して、光偏向部３０を窓枠１１に磁力により吸着させることによって、光偏向部３０を窓１２に対して接合することができる。
なお、光偏向部３０及び窓１２間に空気層が介在し、光が屈折してしまうのを回避する観点から、接合層２２は、窓１２の＋Ｙ側の面と、光偏向部３０の−Ｙ側の面（入射面３０ａ）とを隙間なく密着させて接合するのが望ましい。
このように、接合層２２は、磁力により光偏向部３０を窓１２に対して接合することによって、上述の粘着剤等から構成される接合層に比して、光偏向部３０の窓１２からの着脱をより容易に行うことができる。
【００２６】
なお、接合層２２は、省略してもよい。例えば、水を使用して光偏向部３０と窓１２とを密着させた後、水を蒸散させることによって、光偏向部３０と窓１２とを着脱可能に直接接合することができる。また、光偏向部３０又は窓１２の表面が粘着性や静電気吸着性を示す場合には、光偏向部３０と窓１２とを着脱可能に直接固定することができる。具体例として、上述した粘着剤や静電気吸着剤を含む層が最表面（入射面３０ａ）側に配置された光偏向部３０を挙げることができる。
【００２７】
次に、採光部材２０の別な形態について説明する。
図５は、採光部材の別な形態を説明する図である。図５（ａ）は、採光部材の厚み方向から見た正面図である。図５（ｂ）は、図５（ａ）の採光部材のｂ部断面を示す図であり、図５（ｃ）は、図５（ａ）の採光部材のｃ部断面を示す図であり、図５（ｄ）は、図５（ａ）の採光部材のｄ部断面を示す図である。
【００２８】
上述の説明では、採光部材２０は、光偏向部３０と、隣り合う光偏向部３０間に設けられた空隙から成る光透過部２１とから構成される例を説明したが、これに限定されるものでない。
採光部材２０は、図５に示すように、光透過部２１が、光透過性を有する部材（例えば、透明樹脂）によって構成され、その光透過部２１と光偏向部３０とが交互に配列された１枚のシート状の部材の形態であってもよい。この場合、上述の図１（ｂ）に示す形態のように、帯状形状の光偏向部３０を１枚ずつ窓１２に貼付するのではなく、１枚のシートとして採光部材２０を窓１２の室内側（＋Ｙ側）の面に貼付することができ、窓１２に対する採光部材２０の剥離及び再貼付の作業を容易にすることができる。
【００２９】
次に、採光部材２０を構成する光透過部２１及び光偏向部３０によって形成されるストライプ状のパターンの別な形態について説明する。
図６は、採光部材を構成する光透過部及び光偏向部の別な形態を示す図である。図６の各図は、採光部材を厚み方向（Ｙ方向）から見た正面図である。
光透過部２１及び光偏向部３０は、第１の方向に延びる帯状形状に形成されていれば、上述の図１（ｂ）に示す形態に限定されるものでない。ここで、第１の方向に延びる帯状形状とは、図１（ｂ）に示す鉛直方向に延びる直線状の帯状形状だけでなく、第１の方向を進行方向とする波形状や、上述の第１の方向の角度範囲（鉛直方向に対して−８０°〜＋８０）内で傾斜した直線状や、波形状等の湾曲した形状も含む形状をいう。
【００３０】
例えば、図６（ａ）に示すように、光透過部２１及び光偏向部３０が波形状に形成されており、その波形状の進行方向Ｐが第１の方向（鉛直方向、Ｚ方向）に一致しており、その光透過部２１及び光偏向部３０が第２の方向（左右方向、Ｘ方向）へストライプ状に交互に配置されるようにしてもよい。
また、図６（ｂ）に示すように、一部の光偏向部及び光透過部の帯状形状の延びる方向が、鉛直方向に対して所定の角度θで傾斜するようにしてもよい。この場合、各光偏向部、各光透過部の角度θは、上述の第１の方向の角度範囲（鉛直方向に対して−８０°〜＋８０°）内で形成される必要がある。なお、各光偏向部、各光透過部の角度θは、それぞれが相違するようにしてもよく、また、それぞれが一致するようにしてもよい。
更に、図６（ｃ）に示すように、光透過部２１及び光偏向部３０を、第１の方向に延びた帯状形状が「く」の字状に湾曲する形態に形成してもよい。この場合、光透過部２１及び光偏向部３０の「く」の字状に曲がった各線分の角度θ１、角度θ２が、上述の第１の方向の角度範囲（−８０°〜＋８０°）内で形成される必要がある。
以上のような形態にしても、光偏向部３０により室内の天井等に採り入れられる光がストライプ状になって映り、意匠性を更に向上させることができる。
【００３１】
以上より、本実施形態の採光部材２０（閉鎖部材１０）は、光偏向部３０及び光透過部２１が、第１の方向（鉛直方向、Ｚ方向）に延びる帯状形状に形成され、第１の方向に交差（直交）する第２の方向（左右方向、Ｘ方向）へ交互に配列されている。これにより、採光部材２０は、太陽光等の光を室内側に十分に採り入れるとともに、光偏向部３０によって採り入れられた光を、室内の天井や壁にストライプ状に映すことができ、意匠性に富んだ楽しさ感のある採光機能を発揮させることができる。
また、本実施形態の採光部材２０（閉鎖部材１０）は、光偏向部３０及び光透過部２１の第２の方向（左右方向）における幅Ｓ１、Ｓ２が、５０ｍｍ以上３００ｍｍ以下であるので、より効率よく上述の効果を奏することができる。
更に、本実施形態の採光部材２０（閉鎖部材１０）は、帯状形状に形成された光偏向部３０及び光透過部２１の少なくとも一部が第２の方向（左右方向、Ｘ方向）に湾曲している場合、室内の天井等に採り入れられる光の模様の意匠性を更に向上させることができる。
【００３２】
（第２実施形態）
図７は、第２実施形態の採光部材の詳細を示す図であり、採光部材を厚み方向から見た正面図である。
なお、以下の説明及び図面において、前述した第１実施形態と同様の機能を果たす部分には、同一の符号又は末尾（下２桁）に同一の符号を付して、重複する説明を適宜省略する。
【００３３】
本実施形態の採光部材１２０（閉鎖部材）は、図７（ａ）に示すように、光透過部１２１及び光偏向部１３０の形態が相違している点で、上述の第１実施形態の採光部材２０（閉鎖部材）と相違する。
採光部材１２０は、太陽光等の光を建造物の内側（室内側）に採り入れるシート状の部材であり、窓１２の＋Ｙ側（建造物の内側）の面に貼付されている。採光部材１２０は、複数の光透過部１２１及び光偏向部１３０から構成されている。
本実施形態の光偏向部１３０は、図７（ａ）に示すように、複数の特定形状により形成されており、この特定形状が第１の方向（本実施形態では鉛直方向、Ｚ方向）に延びる帯状に配列されている。本実施形態の採光部材１２０は、この特定形状が帯状に配列された光偏向部１３０が光透過部１２１を挟むようにして第１の方向に交差する第２の方向（本実施形態では左右方向、Ｘ方向）に所定の間隔で交互に配列されている。
ここで、特定形状とは、円形や、楕円、長円だけでなく、三角形や、矩形等の多角形形状や、動物やキャラクター等の図柄等を含む形状をいう。本実施形態では、光偏向部１３０が特定形状として円形形状に形成されている例で説明する。
また、特定形状が第１の方向に延びる帯状に配列されているとは、特定形状が鉛直方向に延びる直線状に配列されている場合だけでなく、第１の方向を進行方向とする波形状や、上述の第１の方向の角度範囲（鉛直方向に対して−８０°〜＋８０°）内で傾斜した直線状や、湾曲した形状に配列されている場合も含むものをいう。
【００３４】
この光偏向部１３０は、第２の方向（左右方向）に隣り合う特定形状間の距離をｄ１とし、第１の方向（鉛直方向）に隣り合う特定形状間の距離をｄ２としたときに、距離ｄ１が距離ｄ２よりも大きくなるように形成されており（ｄ１＞ｄ２）、また、距離ｄ１が、５０ｍｍ以上３００ｍｍ以下の範囲で形成されている。
ここで、特定形状間の距離ｄ１とは、第２の方向において、第２の方向に隣り合う特定形状間の最短距離をいう。また、特定形状間の距離ｄ２とは、第１の方向において、第１の方向に隣り合う特定形状間の最短距離をいう。
このように距離ｄ１と距離ｄ２との大小関係をｄ１＞ｄ２にし、距離ｄ１の寸法範囲を上述のように規定することより、特定形状が配列された光偏向部１３０を第１の方向（鉛直方向）に延びる帯状若しくは帯状に近い形状に見せることができ、光偏向部１３０が光透過部１２１を挟むようにして第２の方向（左右方向）へ交互に配列されたストライプ状に見せることができる。
これにより、採光部材１２０によって室内側に採り入れられた光は、部屋の天井や、壁にストライプ状になって映り、採光部材１２０は、意匠性に富んだ楽しさ感を有する採光機能を発揮させることができ、室内環境を心地よいものとすることができる。
【００３５】
仮に、距離ｄ１と距離ｄ２との関係がｄ１≦ｄ２である場合、光偏向部は、第１の方向（鉛直方向）に延びる帯状として認識し難くなる一方、第２の方向（左右方向）に延びる帯状に見え易くなってしまう。そのため、採光部材全体として見た場合に、光偏向部が光透過部を挟んで第１の方向（鉛直方向）に交互に配列されたストライプ状に見えてしまい（図３（ｃ）、図３（ｄ）参照）、部屋の天井等に映る光の模様が不鮮明になり易くなり、意匠性が低下してしまうので望ましくない。
また、距離ｄ１が５０ｍｍ未満である場合、第２の方向（左右方向）に隣り合う光偏向部３０間の距離が短くなりすぎてしまい、室内の天井等に採り入れられた光の模様がストライプ状として認識され難くなるので望ましくない。距離ｄ１が３００ｍｍよりも大きい場合、第２の方向（左右方向）に隣り合う光偏向部１３０間の距離が長くなりすぎてしまい、室内の天井等に採り入れられた光の模様がストライプ状として認識され難くなるので望ましくない。
【００３６】
光偏向部１３０の特定形状の第２の方向（左右方向）の幅Ｓ３は、５０ｍｍ以上３００ｍｍ以下の範囲で形成されるのが望ましい。ここで、特定形状の幅Ｓ３とは、第２の方向における特定形状の最大寸法をいう。
仮に、特定形状の第２の方向（左右方向）の幅Ｓ３が５０ｍｍ未満である場合、光透過部１２１に対して光偏向部１３０が小さくなりすぎてしまい、室内の天井等に採り入れられた光の模様がストライプ状として認識され難くなったり、光偏向部１３０により採り入れられる光の量が低減したりするので望ましくない。また、幅Ｓ３が３００ｍｍよりも大きい場合、光偏向部１３０が大きくなりすぎてしまい、室内の天井等に採り入れられた光の模様がストライプ状として認識され難くなるので望ましくない。
なお、上述の説明において、光偏向部１３０の各特定形状は、全て同じ形状に形成される例を示したが、これに限定されるものでなく、例えば、上述の特定形状の左右方向（第２の方向）の幅Ｓ３の数値範囲（５０ｍｍ以上３００ｍｍ以下）や、距離ｄ１の数値範囲（５０ｍｍ以上３００ｍｍ以下）を満たすのであれば、各特定形状の大きさや形状が相違するようにしてもよく、また、特定形状として円形形状だけでなく、楕円、多角形形状、キャラクター等の図柄等の異なる形状が混在するようにしてもよい。
【００３７】
以上より、本実施形態の採光部材１２０（閉鎖部材）は、光偏向部１３０又は光透過部１２１が、特定形状に形成され、その特定形状が、第１の方向（鉛直方向）に延びる帯状に配列され、特定形状が帯状に配列された光偏向部１３０が、光透過部１２１を挟んで第２の方向（左右方向）に交互に配列されている。これにより、採光部材１２０は、太陽光等の光を室内側に十分に採り入れるとともに、光偏向部１３０によって採り入れられた光を、室内の天井や壁にストライプ状に映すことができ、意匠性に富んだ楽しさ感のある採光機能を発揮させることができる。
本実施形態の採光部材１２０（閉鎖部材）は、第２の方向（左右方向）に隣り合う特定形状の距離ｄ１が、第１の方向（鉛直方向）に隣り合う特定形状の距離ｄ２の距離よりも大きく、５０ｍｍ以上３００ｍｍ以下を満たすように形成され、また、特定形状の第２の方向（左右方向）における幅が５０ｍｍ以上３００ｍｍ以下に形成されているので、より効率よく上述の効果を奏することができる。
【００３８】
次に、本実施形態の採光部材１２０の別な形態について説明する。
図８は、採光部材１２０の別な形態を説明する図である。図８の各図は、採光部材を厚み方向から見た正面図である。
採光部材１２０は、図８（ａ）に示すように、光透過部１２１が、複数の特定形状により形成され、この特定形状が第１の方向（鉛直方向、Ｚ方向）に延びる帯状に配列されるようにしてもよい。この場合、採光部材１２０は、この特定形状が帯状に配列された光透過部１２１が光偏向部１３０を挟むようにして第２の方向（左右方向、Ｘ方向）に所定の間隔で交互に配列された形態、すなわち、図７に示す形態の光透過部と光偏向部とが入れ替わった形態となる。
【００３９】
また、特定形状が第１の方向（鉛直方向）に延びる帯状に配列された光偏向部１３０の少なくとも一部を第２の方向（左右方向、Ｘ方向）に湾曲させるようにしてもよい。例えば、図８（ｂ）に示すように、特定形状が帯状に配列された光偏向部１３０が波形状に形成されるようにし、この波形状の進行方向Ｐが第１の方向と一致する方向、例えば、鉛直方向に一致するようにして、この波形状に形成された光偏向部１３０が、光透過部１２１を挟んで第２の方向（左右方向）に交互に配列されるようにしてもよい。
なお、波形状の進行方向Ｐは、上述の第１の方向の角度範囲（鉛直方向に対して−８０°〜＋８０°）内であれば、鉛直方向に対して傾斜するようにしてもよい。
【００４０】
更に、図８（ｃ）に示すように、円形形状だけでなく、三角形や、矩形等の多角形、トランプのマーク（スペードマーク、ハートマーク、クラブマーク、ダイヤマーク）等の形状が混在し、それぞれの大きさが相違した特定形状が波形状に配列された光偏向部１３０の形態にし、この波形状の進行方向Ｐの鉛直方向に対する角度θ３が、上述の第１の方向の範囲内（鉛直方向に対して−８０°〜＋８０°）に含まれるようにしてもよい。
以上のような形態としても、光偏向部１３０により室内の天井等に採り入れられる光がストライプ状になって映り、意匠性を更に向上させることができる。特に、図８（ｃ）に示すように、光偏向部１３０を構成する特定形状を、複数の異なる形状や、大きさに形成することによって、室内の天井等に採り入れられる光の意匠性を大幅に向上することができる。
なお、図８（ｂ）及び図８（ｃ）に示す形態も光透過部１２１と光偏向部１３０とが入れ替わった形態にすることも可能である。
【００４１】
なお、上述の図８（ａ）〜図８（ｃ）における形態においても、図７に示す形態と同様に、第２の方向（左右方向、Ｘ方向）に隣り合う特定形状間の距離ｄ１は、第１の方向（鉛直方向、Ｚ方向）に隣り合う特定形状間の距離ｄ２よりも大きく形成され（ｄ１＞ｄ２）、また、この距離ｄ１が５０ｍｍ以上３００ｍｍ以下の範囲で形成されている。更に、特定形状の第２の方向（左右方向）の幅Ｓ３は、５０ｍｍ以上３００ｍｍ以下の範囲で形成される。
【００４２】
（採光部材の評価）
次に、光透過部及び光偏向部の形態が相違する採光部材を複数準備し（実施例及び比較例）、太陽光が入射する部屋の開口部の窓に貼付して、室内の明るさ、意匠性、心地よさ等による楽しさ感をそれぞれ評価した結果について説明する。
各採光部材が貼付される窓は、鉛直方向の高さ寸法が１．２ｍ、左右方向の幅寸法が１ｍであり、各実施例及び各比較例の採光部材は、この窓の全面に貼付されている。
【００４３】
実施例１〜３、比較例１〜８の採光部材は、図１（ｂ）に示すように、光透過部及び光偏向部が、第１の方向として鉛直方向に延びる帯状形状に形成され、第２の方向として左右方向へ交互にストライプ状に配列されている。なお、実施例１〜３の採光部材は、上述の第１実施形態の採光部材２０に係る採光部材である。
実施例１の採光部材は、光透過部の左右方向の幅Ｓ２が５０ｍｍであり、光偏向部の左右方向の幅Ｓ１が５０ｍｍに形成されている。
実施例２の採光部材は、光透過部の左右方向の幅Ｓ２が１００ｍｍであり、光偏向部の左右方向の幅Ｓ１が１００ｍｍに形成されている。
実施例３の採光部材は、光透過部の左右方向の幅Ｓ２が３００ｍｍであり、光偏向部の左右方向の幅Ｓ１が３００ｍｍに形成されている。
【００４４】
比較例１の採光部材は、光透過部の左右方向の幅Ｓ２が４０ｍｍであり、光偏向部の左右方向の幅Ｓ１が５０ｍｍに形成されている。
比較例２の採光部材は、光透過部の左右方向の幅Ｓ２が４０ｍｍであり、光偏向部の左右方向の幅Ｓ１が３００ｍｍに形成されている。
比較例３の採光部材は、光透過部の左右方向の幅Ｓ２が３１０ｍｍであり、光偏向部の左右方向の幅Ｓ１が５０ｍｍに形成されている。
比較例４の採光部材は、光透過部の左右方向の幅Ｓ２が３１０ｍｍであり、光偏向部の左右方向の幅Ｓ１が３００ｍｍに形成されている。
【００４５】
比較例５の採光部材は、光透過部の左右方向の幅Ｓ２が５０ｍｍであり、光偏向部の左右方向の幅Ｓ１が４０ｍｍに形成されている。
比較例６の採光部材は、光透過部の左右方向の幅Ｓ２が３００ｍｍであり、光偏向部の左右方向の幅Ｓ１が４０ｍｍに形成されている。
比較例７の採光部材は、光透過部の左右方向の幅Ｓ２が５０ｍｍであり、光偏向部の左右方向の幅Ｓ１が３１０ｍｍに形成されている。
比較例８の採光部材は、光透過部の左右方向の幅Ｓ２が３００ｍｍであり、光偏向部の左右方向の幅Ｓ１が３１０ｍｍに形成されている。
比較例９の採光部材は、光透過部を設けず光偏向部のみで構成されている。
【００４６】
実施例１１〜１３、比較例１１〜１８の採光部材は、図７（ａ）に示すように、光偏向部が複数の円形形状に形成され、この円形形状が、第１の方向として鉛直方向（Ｚ方向）に延びる帯状に配列され、この帯状形状の光偏向部が光透過部を挟んで、第２の方向として左右方向に所定の間隔で配列されている。なお、実施例１１〜１３の採光部材は、上述の第２実施形態の採光部材１２０に係る採光部材である。また、実施例１１〜１３、比較例１１〜１８の採光部材は、距離ｄ１と距離ｄ２との関係が、いずれもｄ１＞ｄ２を満たしており、円形形状が配列された光偏向部を第１の方向（鉛直方向）に延びる帯状若しくは帯状に近い形状に見せることができる。
【００４７】
実施例１１の採光部材は、左右方向の光透過部間の距離ｄ１が５０ｍｍであり、鉛直方向の光偏向部間の距離ｄ２が２０ｍｍであり、光偏向部の左右方向の幅Ｓ３が５０ｍｍに形成されている。
実施例１２の採光部材は、左右方向の光透過部間の距離ｄ１が１００ｍｍであり、鉛直方向の光偏向部間の距離ｄ２が５０ｍｍであり、光偏向部の左右方向の幅Ｓ３が１００ｍｍに形成されている。
実施例１３の採光部材は、左右方向の光透過部間の距離ｄ１が３００ｍｍであり、鉛直方向の光偏向部間の距離ｄ２が１００ｍｍであり、光偏向部の左右方向の幅Ｓ３が３００ｍｍに形成されている。
【００４８】
比較例１１の採光部材は、左右方向の光透過部間の距離ｄ１が４０ｍｍであり、鉛直方向の光偏向部間の距離ｄ２が２０ｍｍであり、光偏向部の左右方向の幅Ｓ３が５０ｍｍに形成されている。
比較例１２の採光部材は、左右方向の光透過部間の距離ｄ１が４０ｍｍであり、鉛直方向の光偏向部間の距離ｄ２が２０ｍｍであり、光偏向部の左右方向の幅Ｓ３が３００ｍｍに形成されている。
比較例１３の採光部材は、左右方向の光透過部間の距離ｄ１が３１０ｍｍであり、鉛直方向の光偏向部間の距離ｄ２が１００ｍｍであり、光偏向部の左右方向の幅Ｓ３が５０ｍｍに形成されている。
比較例１４の採光部材は、左右方向の光透過部間の距離ｄ１が３１０ｍｍであり、鉛直方向の光偏向部間の距離ｄ２が１００ｍｍであり、光偏向部の左右方向の幅Ｓ３が３００ｍｍに形成されている。
【００４９】
比較例１５の採光部材は、左右方向の光透過部間の距離ｄ１が５０ｍｍであり、鉛直方向の光偏向部間の距離ｄ２が２０ｍｍであり、光偏向部の左右方向の幅Ｓ３が４０ｍｍに形成されている。
比較例１６の採光部材は、左右方向の光透過部間の距離ｄ１が３００ｍｍであり、鉛直方向の光偏向部間の距離ｄ２が２０ｍｍであり、光偏向部の左右方向の幅Ｓ３が４０ｍｍに形成されている。
比較例１７の採光部材は、左右方向の光透過部間の距離ｄ１が５０ｍｍであり、鉛直方向の光偏向部間の距離ｄ２が２０ｍｍであり、光偏向部の左右方向の幅Ｓ３が３１０ｍｍに形成されている。
比較例１８の採光部材は、左右方向の光透過部間の距離ｄ１が３００ｍｍであり、鉛直方向の光偏向部間の距離ｄ２が１００ｍｍであり、光偏向部の左右方向の幅Ｓ３が３１０ｍｍに形成されている。
比較例１９の採光部材は、円形形状の左右方向の幅Ｓ３が１００ｍｍに形成された光偏向部が窓にランダムに配置されている。
【００５０】
実施例１〜３、比較例１〜９の採光部材の「室内の明るさ」、「意匠性」、「楽しさ感」の評価結果を表１にまとめる。また、実施例１１〜１３、比較例１１〜１９の採光部材の「室内の明るさ」、「意匠性」、「楽しさ感」の評価結果を表２にまとめる。
ここで、「室内の明るさ」、「意匠性」、「楽しさ感」の各項目の評価は、無作為に抽出した被験者１０名を、各採光部材が窓に貼付された部屋に入室させて、それぞれの項目について効果があると返答した者が被験者全員の半数（５名）以上いた場合に評価を「○」とし、被験者の半数未満である場合に評価を「×」とした。表１中の総合評価は、「室内の明るさ」、「意匠性」、「楽しさ感」の評価が全て「○」である場合に「○」とし、「室内の明るさ」、「意匠性」、「楽しさ感」のいずれかの評価が「×」である場合に「×」とした。
【００５１】
【表１】
0006596996.tif 000002
【００５２】
【表２】
0006596996.tif 000003
【００５３】
表１に示すように、比較例１の採光部材は、室内の明るさの評価が「○」であったが、意匠性の評価が「×」であり、楽しさ感の評価も「×」であったため、総合評価が「×」となった。
比較例２の採光部材は、室内の明るさの評価が「○」であったが、意匠性の評価が「×」であり、楽しさ感の評価も「×」であったため、総合評価が「×」となった。
比較例３の採光部材は、意匠性の評価が「○」であったが、室内の明るさの評価が「×」であり、楽しさ感の評価も「×」であったため、総合評価が「×」となった。
比較例４の採光部材は、室内の明るさの評価が「○」であったが、意匠性の評価が「×」であり、楽しさ感の評価も「×」であったため、総合評価が「×」となった。
【００５４】
比較例５の採光部材は、室内の明るさの評価が「○」であったが、意匠性の評価が「×」であり、楽しさ感の評価も「×」であったため、総合評価が「×」となった。
比較例６の採光部材は、意匠性の評価が「○」であったが、室内の明るさの評価が「×」であり、楽しさ感の評価も「×」であったため、総合評価が「×」となった。
比較例７の採光部材は、室内の明るさの評価が「○」であったが、意匠性の評価が「×」であり、楽しさ感の評価も「×」であったため、総合評価が「×」となった。
比較例８の採光部材は、室内の明るさの評価が「○」であったが、意匠性の評価が「×」であり、楽しさ感の評価も「×」であったため、総合評価が「×」となった。
比較例９の採光部材は、室内の明るさの評価が「○」であったが、意匠性の評価が「×」であり、楽しさ感の評価が「×」であったため、総合評価が「×」となった。
【００５５】
これに対して、実施例１の採光部材は、室内の明るさの評価が「○」であり、意匠性の評価も「○」であり、楽しさ感の評価も「○」であったため、総合評価が「○」となった。
また、実施例２及び実施例３の採光部材も、室内の明るさ、意匠性、楽しさ感の各評価が「○」であったため、総合評価が「○」となった。
以上より、図１（ｂ）に示す第１実施形態に係る採光部材は、光透過部及び光偏向部の第２の方向（左右方向）の幅が、それぞれ５０ｍｍ以上３００ｍｍ以下である場合に、総合評価が「○」となり、太陽光等の光を室内側に十分に採り入れるとともに、意匠性に富んだ楽しさ感のある採光機能を十分に発揮することができることが確認された。
【００５６】
また、表２に示すように、比較例１１の採光部材は、室内の明るさの評価が「○」であったが、意匠性の評価が「×」であり、楽しさ感の評価も「×」であったため、総合評価が「×」となった。
比較例１２の採光部材は、室内の明るさの評価が「○」であったが、意匠性の評価が「×」であり、楽しさ感の評価も「×」であったため、総合評価が「×」となった。
比較例１３の採光部材は、意匠性の評価が「○」であったが、室内の明るさの評価が「×」であり、楽しさ感の評価も「×」であったため、総合評価が「×」となった。
比較例１４の採光部材は、室内の明るさの評価が「○」であったが、意匠性の評価が「×」であり、楽しさ感の評価も「×」であったため、総合評価が「×」となった。
【００５７】
比較例１５の採光部材は、室内の明るさの評価が「○」であったが、意匠性の評価が「×」であり、楽しさ感の評価も「×」であったため、総合評価が「×」となった。
比較例１６の採光部材は、意匠性の評価が「○」であったが、室内の明るさの評価が「×」であり、楽しさ感の評価も「×」であったため、総合評価が「×」となった。
比較例１７の採光部材は、室内の明るさの評価が「○」であったが、意匠性の評価が「×」であり、楽しさ感の評価も「×」であったため、総合評価が「×」となった。
比較例１８の採光部材は、室内の明るさの評価が「○」であったが、意匠性の評価が「×」であり、楽しさ感の評価も「×」であったため、総合評価が「×」となった。
比較例１９の採光部材は、室内の明るさの評価が「×」であったが、意匠性の評価が「○」であり、楽しさ感の評価が「×」であったため、総合評価が「×」となった。
【００５８】
これに対して、実施例１１の採光部材は、室内の明るさの評価が「○」であり、意匠性の評価も「○」であり、楽しさ感の評価も「○」であったため、総合評価が「○」となった。
また、実施例１２及び実施例１３の採光部材も、室内の明るさ、意匠性、楽しさ感の各評価が「○」であったため、総合評価が「○」となった。
以上より、図７（ａ）に示す第２実施形態に係る採光部材は、第２の方向（左右方向）における光偏向部間の距離ｄ１と、光偏向部の第２の方向（左右方向）の幅Ｓ３が、それぞれ５０ｍｍ以上３００ｍｍ以下である場合に、総合評価が「○」となり、太陽光等の光を室内側に十分に採り入れるとともに、意匠性に富んだ楽しさ感のある採光機能を十分に発揮することができることが確認された。
【００５９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００６０】
（変形形態）
（１）上述の実施形態において、光偏向部３０のルーバ部３２は、ＹＺ断面における断面形状が略三角形形状である例で説明したが、楔形形状であればこれに限定されるものでない。ルーバ部３２の上記断面形状は、例えば、台形形状に形成されるようにしてもよい。この場合、ルーバ部３２は、入射面３０ａ側を下辺とし、出射面３０ｂ側を下辺より短い上辺となるように形成される。
【００６１】
（２）上述の実施形態において、建造物１の開口部２に窓１２に採光部材２０が貼付された閉鎖部材１０が配置される例を示したが、これに限定されるものでない。例えば、窓枠１１に固定された採光部材２０が閉鎖部材として建造物の開口部に配置されるようにしてもよい。また、採光部材２０のみが閉鎖部材として直接開口部２に配置されるようにしてもよい。
【００６２】
（３）上述の実施形態において、採光部材２０は、窓１２の建造物の内側（＋Ｙ側）の面に貼付される例を示したが、これに限定されるものでなく、例えば、窓１２の建造物の外側（−Ｙ側）の面に貼付されるようにしてもよい。
【００６３】
（４）上述の実施形態において、接合層２２は、光偏向部３０を窓１２に対して着脱可能に接合する例を示したが、これに限定されるものでなく、光偏向部３０を窓１２に対して着脱不可能に接合するようにしてもよい。
【００６４】
（５）上記の実施形態において、採光部材が太陽光等の光を建築物の内側（屋内側）に採り入れる例を示したが、採光部材は、外灯等の屋外照明からの光を採り入れてもよく、光を乗り物の内側に取り入れてもよく、建築物や乗り物の内部に存在する内部照明からの光を或る内部区域から他の内部区域に採り入れてもよい。
【００６５】
（６）上述の実施形態において、閉鎖部材が建築物の外壁の開口部に設置された窓である例を示したが、閉鎖部材は、戸であってもよく、建築物の内壁や屋根に設置されてもよく、建築物や乗り物の内部に存在する或る内部区域と他の内部区域とを区切るための仕切りであってもよい。
【００６６】
（７）上述の実施形態において、光偏向部及び光透過部は、第１の方向が鉛直方向に平行な方向であるとして、鉛直方向に延びる帯状形状の形態や、特定形状が鉛直方向に延びる帯状に配列された形態に形成される例を示したが、これに限定されるものでない。光偏向部及び前記光透過部は、例えば、鉛直方向に対して若干傾斜している方向を第１の方向として、その第１の方向に延びる帯状形状の形態や、特定形状が第１の方向に延びる帯状に配置される形態に形成されるようにしてもよい。
また、帯状形状の光偏向部及び前記光透過部や、特定形状が帯状に配列された前記光偏向部又は前記光透過部は、第２の方向が左右方向に平行な方向であるとして、左右方向へ交互に配列される例を示したが、これに限定されるものでなく、左右方向に対して若干傾斜した方向に交互に配置されるようにしてもよい。
【００６７】
（８）上述の第１実施形態において、採光部材２０に設けられた光偏向部及び光透過部は、全て同一の方向（鉛直方向）に延びる帯状形状の形態に形成され、また、第２の方向における幅が同じ幅寸法に形成される例を示したが、これに限定されるものでない。例えば、採光部材は、光偏向部の少なくとも一部の第１の方向が、他の光偏向部の第１の方向に対して傾斜するようにしたり、光透過部の少なくとも一部の第１の方向が、他の光透過部の第１の方向に対して傾斜するようにしたりすることができる。また、採光部材は、第２の方向の幅が相違する光偏向部が混在したり、第２の方向の幅が相違する光透過部が混在したりするようにしてもよい。
【００６８】
（９）上述の第１実施形態において、採光部材２０は、帯状形状に形成された光偏向部３０及び光透過部２１の他に、特定形状が第１の方向に延びる帯状に配列された第２の光偏向部又は第２の光透過部を更に備え、光偏向部３０及び光透過部２１と、第２の光偏向部又は第２の光透過部とが混在するようにして形成されてもよい。
また、同様に、第２実施形態において、採光部材１２０は、特定形状が第１の方向に延びる帯状に配列された光偏向部１３０の他に、第１の方向に延びる帯状形状に形成された第２の光偏向部及び第２の光透過部を更に備え、各光偏向部が混在するようにして形成されてもよい。このように採光部材（閉鎖部材）を構成することによって、室内の天井等に採り入れられる光の意匠性を更に向上させることができる。
なお、採光部材（閉鎖部材）は、各特定形状が、異なる大きさに形成されるようにしたり、光偏向部に着色部を設け、その少なくとも一部が、他の光偏向部の着色部と相違する色に光を着色したりするようにしてもよい。
【符号の説明】
【００６９】
１    建造物
２    開口部
１０    閉鎖部材
１１    窓枠
１２    窓
２０    採光部材
２１    光透過部
２２    接合層
３０    光偏向部
３０ａ    入射面
３０ｂ    出射面
３１    ベース部
３１ａ    溝
３２    ルーバ部
【図１】
0006596996.tif 000004
【図２】
0006596996.tif 000005
【図３】
0006596996.tif 000006
【図４】
0006596996.tif 000007
【図５】
0006596996.tif 000008
【図６】
0006596996.tif 000009
【図７】
0006596996.tif 000010
【図８】
0006596996.tif 000011